(57)【要約】【課題】  本考案は、1枚のシールでありながらＰＯＰ機能と、封緘機能と、能書き機能とを全て兼用できるようにした、使い易さに優れた多機能シールを提供せんとするものである。【解決手段】  蓋体と容器本体とからなる被接着体に接着されるシールであって、蓋体用と容器本体用とに分離して形成される下層シールと、この下層シールの表面を覆うように積層圧着される一枚の上層シールとで多機能シールを構成し、分離された下層シールの表面に上層シールを再圧着不可能な状態で圧着し、この上層シールの上縁側にＰＯＰ表示欄を突出状に形成するとともに、下層シールに能書き表示欄を形成し、下層シールの裏面には被接着体に接着された際に下層シールの剥離を困難にする粘着層を形成したことを特徴とする。【選択図】  図４
0003127012.tif 000002
【実用新案登録請求の範囲】
【請求項１】
蓋体と容器本体とからなる被接着体に接着されるシールであって、蓋体用と容器本体用とに分離して形成される下層シールと、この下層シールの表面を覆うように積層圧着される一枚の上層シールとで多機能シールを構成し、分離された下層シールの表面に上層シールを再圧着不可能な状態で圧着し、この上層シールの上縁側にＰＯＰ表示欄を突出状に形成するとともに、下層シールに能書き表示欄を形成し、下層シールの裏面には被接着体に接着された際に下層シールの剥離を困難にする粘着層を形成したことを特徴とする多機能シール。
【請求項２】
下層シールをＰＥＴ製とし、この下層シールの表面側に圧着ニス層を形成し、上層シールをポリエステル系合成紙製とし、この上層シールの裏面側にも圧着ニス層を形成したことを特徴とする請求項１記載の多機能シール。
【請求項３】
下層シールをＰＥＴ製とし、この下層シールの表面側に粘着層を介してＰＥフィルムを取り付け、上層シールをポリエステル系合成紙製とし、この上層シールの裏面側にも粘着層を介してＰＥフィルムを取り付けたことを特徴とする請求項1又は2記載の多機能シール。
【考案の詳細な説明】
【技術分野】
【０００１】
本考案は、１枚のシールでありながらＰＯＰ機能（ポップ広告機能）と、封緘機能と、能書き機能とを全て兼用できるようにした多機能シールを得ることを目的とする。
【背景技術】
【０００２】
従来、容器の本体と蓋体間に封緘目的で掛け渡すようにシールを貼設し、開封目的で一旦本体から蓋体を取り外した場合には、そのシールが破断され外形変化をきたすので、そこの部分を視認することにより簡単に未開封の保障を確認できるようにした封緘シールは多数知られている。
同様にＰＯＰ機能だけを発揮するようにしたシールも多数知られている。
【０００３】
上記の封緘シール等は、容器内商品の改竄を防止する見地から重要なものであるが、だからといって単に封緘機能のみ、あるいはＰＯＰ機能のみを追求するだけではシールの存在価値が乏しくなる嫌いがあった。
【特許文献１】特開平１１−３２７４４６号公報
【考案の開示】
【考案が解決しようとする課題】
【０００４】
上記特許文献１に記載された封緘用ラベル（シール）にあっては、封緘シールとしての機能は発揮できるものの、そのほかのＰＯＰ機能や能書き機能を合わせて発揮することは困難であった。
本考案は、上記の問題点を全て解消して1枚のシールでありながらＰＯＰ機能と、封緘機能と、能書き機能とを全て兼用できるようにした、使い易さに優れた多機能シールを提供せんとするものである。
【課題を解決するための手段】
【０００５】
上記目的を達成するために、請求項１記載の考案は、蓋体と容器本体とからなる被接着体に接着されるシールであって、蓋体用と容器本体用とに分離して形成される下層シールと、この下層シールの表面を覆うように積層圧着される一枚の上層シールとで多機能シールを構成し、分離された下層シールの表面に上層シールを再圧着不可能な状態で圧着し、この上層シールの上縁側にＰＯＰ表示欄を突出状に形成するとともに、下層シールに能書き表示欄を形成し、下層シールの裏面には被接着体に接着された際に下層シールの剥離を困難にする粘着層を形成したことを特徴とする多機能シールである。
【０００６】
また請求項２は、下層シールをＰＥＴ製とし、この下層シールの表面側に圧着ニス層を形成し、上層シールをポリエステル系合成紙製とし、この上層シールの裏面側にも圧着ニス層を形成したことを特徴とする請求項１記載の多機能シールである。
【０００７】
さらに請求項３は、下層シールをＰＥＴ製とし、この下層シールの表面側に粘着層を介してＰＥフィルムを取り付け、上層シールをポリエステル系合成紙製とし、この上層シールの裏面側にも粘着層を介してＰＥフィルムを取り付けたことを特徴とする請求項1又は2記載の多機能シールである。
【考案の効果】
【０００８】
以上述べたように、請求項１乃至３の多機能シールによれば、多機能シールを被接着体に接着したままの状態においては、上層シールの表面が顧客の視線に触れることになり、そのとき上層シールのＰＯＰ表示欄が正面から良く見えるためＰＯＰ機能が十分に発揮され、ついで上層シールを引っ張って下層シールから引き剥がすと、その上層シールは二度と下層シールの表面に積層圧着することができなくなるので、結果的に上層シールが安定的に存在しているということは、その容器の未開封を保障するという封緘機能が発揮されていることになり、またこの上層シールが剥離された際には、そこに表れた下層シール表面の能書き表示欄が読み易い状態となるので能書き機能が十分に発揮されるという効果が達成される。
【考案を実施するための最良の形態】
【０００９】
以下添付図面に基づいて、本考案に係る多機能シールの実施例を詳説する。
図１は本考案の多機能シールを接着させるための被接着体（クリーム容器）の斜視図、図２は同被接着体に本考案の多機能シールを接着させた状態を表す被接着体の斜視図、図３は前図の状態から上層シールを剥離させた状態を表す被接着体の斜視図、図４は下層シールと上層シールとの間に圧着ニス層を介在させた多機能シールの縦断面図、図５は下層シールと上層シールとの間にＰＥフィルムを介在させた多機能シールの縦断面図である。
【第１実施の形態】
【００１０】
本考案の多機能シール４は、被接着体３に接着して使用されるものであり、被接着体３としては蓋体１と容器本体２とからなる広口瓶（クリーム容器）が好適であるが、容器の種類に特に制限はない。
【００１１】
この多機能シール４は、下層シール５ａ，５ｂと上層シール６とで構成され、下層シール５ａは粘着層１３を介して剥離困難な状態で蓋体１に接着され、同じく下層シール５ｂは粘着層１３を介して剥離困難な状態で容器本体２に接着される。いずれにしても下層シール５ａ，５ｂは、被接着体３の蓋体１と容器本体２に分かれて接着されるものであり、双方にまたがるように接着されることはない。これにより上層シール６の剥離後は、被接着体３における蓋体１の開閉は自由に行え、容器本体２内の内容物の取り出しも不自由なく行えることとなる。
【００１２】
ついで下層シール５ａ，５ｂの表裏面の一方又は双方には能書き表示欄１２が形成されており、その能書き表示欄１２には容器本体２内の内容物（化粧クリームなど）についての、各種説明、使用方法、成分表示、効能などの能書きが記載されている。下層シール５ａ，５ｂの裏面に能書き表示欄１２を形成する場合には、下層シール５ａ，５ｂを透明体で形成する必要がある。
【００１３】
前記の通り下層シール５ａ，５ｂの裏面には粘着層１３が形成されており、この粘着層１３を介して被接着体３に下層シール５ａ，５ｂが接着されると、粘着層１３の強力な粘着力により下層シール５ａ，５ｂは被接着体３（蓋体１又は容器本体２）から剥離させることは困難となる。したがって一旦接着された下層シール５ａ，５ｂは、長期間安定的に被接着体３に接着しているので、そこに記載されている能書き表示欄１２も同様に長期間安定的に表示され続けることとなる。
【００１４】
本考案の多機能シール４は、この下層シール５ａ，５ｂの表面に、下層シール５ａ，５ｂの全体を覆うように一枚の上層シール６が再圧着不可能な状態で積層圧着されている。また上層シール６の上縁側にはＰＯＰ表示欄１１が突出状に形成されていて、このＰＯＰ表示欄１１には被接着体３を構成する容器本体２内に納められた商品に関する宣伝広告（ポップ広告）の内容が表示される。
【００１５】
多機能シール４の上層シール６は、一旦剥離すると再圧着不可能な状態で下層シール５ａ，５ｂに積層圧着されているので、上層シールを引っ張って下層シールから引き剥がすと、その上層シールは二度と下層シールの表面に積層圧着することができなくなり、その結果上層シールが安定的な状態で下層シールの上面に存在しているということは、その容器が未開封であることを保障し、封緘機能が発揮される。
【００１６】
ここで上層シール６と下層シール５ａ，５ｂとの積層圧着方法を図４に基づいて説明する。
下層シール５ａ，５ｂをＰＥＴ製で形成（裏面印刷をする場合には、下層シールは透明にする必要があるが、表面のみ印刷する場合には、下層シールの材質はＰＥＴ，ＯＰＰ，ユポ（株式会社ユポ・コーポレーション製のポリプロピレン系合成紙）などのいずれかにこだわることはなく、しかも素材の透明性や、白などの色指定や、蒸着などの製法指定はいずれも必要がない）し、この下層シール５ａ，５ｂの表面側に圧着ニス層１４を形成する。
【００１７】
また前記上層シール６は、一般的にはしわになりにくく、折り曲げた後復元性が高くなり、白ＰＥＴよりコストが安い等の理由から、発泡ＰＥＴからなるポリエステル系合成紙製（例えば東洋紡績株式会社製の「クリスパー」）が好適であるが、それ以外にもユポ（株式会社ユポ・コーポレーション製のポリプロピレン系合成紙）、白ＰＰ，ＰＥＴ蒸着、透明ＰＥＴ（部分白押さえ）等のフィルムを使用することももちろん可能である。この上層シール６の裏面側にも圧着ニス層１４を形成し、この圧着ニス層１４同士を熱圧着させることで擬似接着を完成させ、上記の再圧着不可能な多機能シール４を構成する。
【第２実施の形態】
【００１８】
つぎに、第２実施の形態の多機能シールを図５に基づいて説明する。なお、第２実施の形態において、第１実施の形態の多機能シールと同一部材については同一符号を付して説明を省略する。
【００１９】
ここで上層シール６と下層シール５ａ，５ｂとの積層圧着方法を図５に基づいて説明する。
下層シール５ａ，５ｂをＰＥＴ製で形成（裏面印刷をする場合には、下層シールは透明にする必要があるが、表面のみ印刷する場合には、下層シールのザイシツハＰＥＴ，ＯＰＰ，ユポ（株式会社ユポ・コーポレーション製のポリプロピレン系合成紙）などのいずれかにこだわることはなく、しかも素材の透明性や、白などの色指定や、蒸着などの製法指定はいずれも必要がない）し、この下層シール５ａ，５ｂの表面側に、能書き表示欄１２、粘着層１３を介してＰＥフィルム１５を取り付け、上層シール６をポリエステル系合成紙製（例えば東洋紡績株式会社製の「クリスパー」）とし、この上層シール６の裏面側にも粘着層１３を介してＰＥフィルム１５を取り付け、このＰＥフィルム１５同士を熱圧着させることで擬似接着を完成させ、上記の再圧着不可能な多機能シール４を構成する。
【００２０】
また前記上層シール６は、一般的にはしわになりにくく、折り曲げた後復元性が高くなり、白ＰＥＴよりコストが安い等の理由から、発泡ＰＥＴからなるポリエステル系合成紙製（例えば東洋紡績株式会社製の「クリスパー」）が好適であるが、それ以外にもユポ、白ＰＰ，ＰＥＴ蒸着、透明ＰＥＴ（部分白押さえ）等のフィルムを使用することももちろん可能である。この上層シール６の裏面側にも圧着ニス層１４を形成し、この圧着ニス層１４同士を熱圧着させることで擬似接着を完成させ、上記の再圧着不可能な多機能シール４を構成する。
【産業上の利用可能性】
【００２１】
本考案は、化粧関連用品、特に広口瓶などに収納される化粧関連用品の販売の現場等において利用される。
【図面の簡単な説明】
【００２２】
【図１】本考案の多機能シールを接着させるための被接着体（クリーム容器）の斜視図である。
【図２】同被接着体に本考案の多機能シールを接着させた状態を表す被接着体の斜視図である。
【図３】前図の状態から上層シールを剥離させた状態を表す被接着体の斜視図である。
【図４】下層シールと上層シールとの間に圧着ニス層を介在させた多機能シールの縦断面図である。
【図５】下層シールと上層シールとの間にＰＥフィルムを介在させた多機能シールの縦断面図である。
【符号の説明】
【００２３】
１…蓋体
２…容器本体
３…被接着体
４…多機能シール
５ａ，５ｂ…下層シール
６…上層シール
１１…ＰＯＰ表示欄
１２…能書き表示欄
１３…粘着層
１４…圧着ニス層
１５…ＰＥフィルム
【図１】
0003127012.tif 000003
【図２】
0003127012.tif 000004
【図３】
0003127012.tif 000005
【図４】
0003127012.tif 000006
【図５】
0003127012.tif 000007